(57)【特許請求の範囲】
【請求項１】
釣り用の餌またはソフトルアーに釣針を装着するための道具であって、本体と、この本体に設けられ前記餌またはソフトルアーを刺し貫くための刺貫針と、この刺貫針の一部が開閉して前記釣針に結ばれたハリスを把持するための把持部と、この把持部を操作して前記開閉をするための開閉機構と、を有することを特徴とする釣針装着道具。
【請求項２】
前記本体は、筒状で、前記刺貫針は、前記筒状の本体と同軸状に形成される細い筒状を有し、先端が斜めにカットされており、前記把持部は、前記筒状の刺貫針の内部に同軸状に配置されて先端が前記刺貫針の先端から露出して略Ｕ字状に屈曲した針金であり、前記開閉機構は、前記針金の基部に先端が連続し前記筒状の本体の内部に同軸状に配置されるピストン部と、このピストン部を前記本体に対して後退方向へ付勢するバネと、前記ピストン部の基部に形成され前記バネの付勢力に抗して前記ピストン部を前進させるため押圧する押圧部と、を有してなることを特徴とする請求項１に記載の釣針装着道具。
【請求項３】
請求項１、または２に記載の釣り針装着道具を用いた、前記刺貫針で前記餌または前記ソフトルアーを刺し貫く手順と、前記本体の側から前記開閉機構を操作して前記把持部を開閉し前記釣針に結ばれたハリスを把持する手順と、前記ハリスを把持して閉じた状態の刺貫針を前記餌または前記ソフトルアーから抜き戻す手順と、前記抜き戻した刺貫針から前記ハリスを外す手順と、前記外したハリスを道糸側に結ぶ手順と、を有することを特徴とする釣針装着方法。
【発明の詳細な説明】
【技術分野】
【０００１】
この発明は、釣り用の餌またはソフトルアーに釣針を装着するための釣針装着道具と釣針装着方法に関する。
【背景技術】
【０００２】
一般的な釣りでは、例えば、竿の先に釣糸が取り付けられ、釣糸の先端に既に結ばれた釣針を、釣り用の餌またはソフトルアーに装着し、釣りを行う。釣糸は、竿先に取り付けられる部分と、釣針に結ばれる部分とが、分割されていることがあり、前者は道糸、後者はハリスと呼ばれる。
【０００３】
釣り用の餌またはソフトルアー（以下、餌等という）に釣針を装着する際に、釣針が餌等にしっかりと装着され、しかも餌等をできるだけ傷つけないことが重要である。
そして、しっかりとした装着を行うために、釣針のみならず釣針に結ばれた釣糸の部分を、餌等に貫通した状態にできれば望ましい。しかし、通常の装着では餌等を大きく傷つけてしまう。
【０００４】
そこで、下記特許文献１では、釣針の軸の上端でチモトと呼ばれる、釣糸が結ばれる部分を尖らし、この尖らした部分から餌等に逆方向へ刺し貫き、この貫いた部分に釣糸を結ぶ技術が提案されている。これにより、餌等をできるだけ傷つけないで、しっかりとした装着が可能である。
【特許文献１】特開2000-157106
【発明の開示】
【発明が解決しようとする課題】
【０００５】
しかしながら、上記特許文献１では、（１）餌等を貫いた釣針に釣糸を結ぶ作業を、釣りの現場で行わなければならず、手間がかかり、作業効率が悪い。（２）また、大きな餌等を用いるときは、釣針の軸と呼ばれる部分を長くし、この軸の上端が餌等から露出できるようにしなければならない。そのような軸の長い釣針は特殊なものになり、特注製造などによりコストが高くなる。
【０００６】
この発明は、以上の問題点を解決するために、餌等をできるだけ傷つけないで貫通したしっかりとした釣針の装着が行え、現場での作業効率が良く、通常の釣針を使用できる釣針装着道具および釣針装着方法を提供することを目的とする。
【課題を解決するための手段】
【０００７】
以上の課題を解決するために、第一発明は、釣り用の餌またはソフトルアーに釣針を装着するための道具であって、本体と、この本体に設けられ前記餌またはソフトルアーを刺し貫くための刺貫針と、この刺貫針の一部が開閉して前記釣針に結ばれたハリスを把持するための把持部と、この把持部を操作して前記開閉をするための開閉機構と、を有することを特徴とする釣針装着道具である。
第二発明は、さらに、前記本体は、筒状で、前記刺貫針は、前記筒状の本体と同軸状に形成される細い筒状を有し、先端が斜めにカットされており、前記把持部は、前記筒状の刺貫針の内部に同軸状に配置されて先端が前記刺貫針の先端から露出して略Ｕ字状に屈曲した針金であり、前記開閉機構は、前記針金の基部に先端が連続し前記筒状の本体の内部に同軸状に配置されるピストン部と、このピストン部を前記本体に対して後退方向へ付勢するバネと、前記ピストン部の基部に形成され前記バネの付勢力に抗して前記ピストン部を前進させるため押圧する押圧部と、を有してなることを特徴とする釣針装着道具である。
第三発明は、第一発明、又は第二発明の釣り針装着道具を用いた、前記刺貫針で前記餌または前記ソフトルアーを刺し貫く手順と、前記本体の側から前記開閉機構を操作して前記把持部を開閉し前記釣針に結ばれたハリスを把持する手順と、前記ハリスを把持して閉じた状態の刺貫針を前記餌または前記ソフトルアーから抜き戻す手順と、前記抜き戻した刺貫針から前記ハリスを外す手順と、前記外したハリスを道糸側に結ぶ手順と、を有することを特徴とする釣針装着方法である。
【発明の効果】
【０００８】
第一、第二、又は第三発明によれば、刺貫針で餌等を刺し貫き、開閉機構を操作して把持部を開閉し、釣針に結ばれたハリスを把持する。そして、ハリスを把持して閉じた状態の刺貫針を餌等から抜き戻し、ハリスを外し、道糸側に結ぶ。
よって、餌等には貫通針が刺し貫くだけなので、餌等はできるだけ傷つけないで済む。また、餌等には、釣針のみならず釣針に結ばれた釣糸の部分を、結果的に貫通した状態にできる。よって、しっかりとした釣針の装着が行える。また、現場では、ハリスと道糸を結ぶだけで良く、作業効率が良い。また、釣針は、軸の長い特殊なものを必要とせず、通常のものを使用できる。
【０００９】
第二、又は第三発明によれば、筒状の本体、細い筒状で筒状で先端が斜めにカットされた刺貫針、針金、ピストン部、バネ、によって構成でき、部品点数が少なく、部品加工が容易であり、道具製造コストを抑えることができる。
【発明を実施するための最良の形態】
【００１０】
この発明の実施形態にかかる釣針装着道具１を、図１に示す。
［概略］
この図は、釣り用の餌等に釣針を装着するための道具である。本体３は注射器に似た円筒状をなす。この本体３の先端に連続した形態で設けられた刺貫針５は、餌等を刺し貫くためのものである。この刺貫針の先端には、開閉して、釣針に結ばれたハリスを把持するための把持部７が設けられる。この把持部７の開閉は、本体３の側から開閉機構９を操作して行われる。
【００１１】
［本体３］
本体３は注射器に似た円筒状をなし、円筒状の後端の周囲には、操作のためのハンドル１１が一体的に形成される。後端の端面には孔１３が形成され、後述するピストン部１５が摺動する。
【００１２】
［刺貫針５］
刺貫針５は、円筒状の本体３と連続的な形状で、同軸状に形成され、先部は細い筒状を有する。連続部分１７は、本体３にキャップ状に覆い、嵌合する。刺貫針の先端１９は、斜めにカットされ、餌等を刺し貫きやすくなっている。
【００１３】
［把持部７］
把持部７は、針金２１で形成される。この針金２１は、筒状の刺貫針５の内部に同軸状に配置され、先端が刺貫針の先端１９から露出している。この露出部分は、略Ｕ字状に屈曲し、この略Ｕ字状の先端２３は、刺貫針の先端１９の斜めにカットされた楕円形状穴２５の後の縁部２７に、係止される。これにより、刺貫針５が刺し貫いたり、抜き戻される際に、邪魔になりにくい。
【００１４】
［開閉機構９］
開閉機構９は、ピストン部１５とバネ２９を有する。ピストン部１５は、把持部７を形成する針金２１の基部に、先端が連続する。この連続は、ピストン部１５の先端に形成される筒状凹部３１に接着剤３３が充填され、針金２１の基部３５が挿入されて行われる。ピストン部１５は、筒状の本体３の内部に同軸状に配置される。ピストン部１５の長手方向の２箇所には係止フランジ３７が形成され、これらの係止フランジ３７の後面が、本体３の内周面に形成された対応する２つの受フランジ３９に係止して、バネ２９の付勢力に対してストッパーの働きをして、ピストン部１５を位置決めする。
【００１５】
後方の係止フランジ３７と、前方の受フランジ３９との間に、ピストン部１５を巻き回すようにしてコイル状のバネ２９が設けられる。このバネ２９により、ピストン部１５は本体３に対して後退方向へ付勢される。ピストン部１５の基部３５には、本体３のハンドル１１と対応した状態で、押圧部４１が形成される。この押圧部４１を、指などで押圧することで、バネ２９の付勢力に抗してピストン部１５を前進させることができ、この前進により、針金２１が前進し、把持部７が開く。
【００１６】
［釣針とハリス］
釣針４３とハリス４５は、通常の市販のものを使用できるが、この実施形態では、やや特殊なものを使用する。すなわち、この実施形態の釣針４３は、先がふたつに分かれた２本針を使用するが、この２本針は、釣針４３の軸の上端４７でチモトと呼ばれる部分を尖らし、この尖らした部分から餌等に逆方向へ刺し易くなっている。このため、容易に、釣針４３を餌から露出しないようにできる。
【００１７】
釣針４３の上端には孔４９が形成される。この孔４９に、端部に留め金具５１を設けたハリス４５を、他端部から通し、通した端部を結んで（５２）、孔４９からの抜け留めにする。このようにして、釣針４３にハリス４５を留め、釣針４３をハリス４５に結ぶという作業を簡略化できる。
【００１８】
「実施形態の手順」
この実施形態の釣針装着道具１により、太刀魚釣りの生餌５４であるきびなごに、釣針４３を装着する手順を、図２から図６に示す。
釣針装着道具１を手で持ち、先端の刺貫針５で生餌５４であるきびなご（この欄で以下、単に餌５４という）を背中側から腹側へ刺し貫く（図２、図３）。刺貫針５の先端１９が腹側に露出した状態（図３、図４（Ａ））で、本体３の側から開閉機構９を操作する。すなわち、ハンドル１１と押圧部４１を手の指で挟むことで、押圧部４１を指で押圧する。この押圧で、ピストン部１５を前進させ、よって針金２１が前進し、針金２１の先端の略Ｕ字状の部分が、刺貫針５の先端１９から前へ外れて大きく露出し、よって把持部７が開く（図１（Ｃ）、図４（Ｂ））。この略Ｕ字状の部分に、ハリス４５を引っ掛ける。
【００１９】
そして、ピストン部１５の押圧を止めれば、バネ２９の付勢力により、ピストン部１５と針金２１が後退する。よって、後退した針金２１の先端の略Ｕ字状の部分が、刺貫針の先端１９の斜めにカットされた楕円形状の後の縁部２７に、再び、係止され、したがって把持部７が閉じ（図１（Ｂ））、この縁部２７との間にハリス４５をつかんだ状態になる（図４（Ｃ））。
【００２０】
そして、つかんだハリス４５を把持部７からずらし、ハリス４５の後端を把持部７に位置させ（図４（Ｄ））、餌から抜き戻すに都合の良い状態にする。
【００２１】
その後に、ハリス４５を把持して閉じた状態の刺貫針５を、餌５４から抜き戻す（図５）。そして、再び、ハンドル１１と押圧部４１を手の指で挟み、押圧部４１を指で押圧し、ピストン部１５と針金２１を前進させ、針金２１の先端の略Ｕ字状の部分が、刺貫針の先端１９から前へ外れ、よって把持部７が開く（図１（Ｃ））。これにより、刺貫針５からハリス４５を外す。
そして、釣針４３の軸の上端４７の尖らした部分から、餌５４に逆方向へ容易に刺し、釣針４３が餌から露出しないようにする（図６）。
【００２２】
次に、外したハリス４５を図示しない道糸側に結ぶ。道糸側には、通常はサルカン等の金具が設けられ、ハリス４５を容易に結ぶことができる。
【００２３】
「実施形態の効果」
以上のように、餌５４には貫通針５が刺し貫くだけなので、餌５４はできるだけ傷つけないで済む。
また、餌５４には、釣針４３のみならず釣針４３に結ばれた釣糸（ハリス４５）の部分を、結果的に貫通した状態にできる。よって、餌５４はできるだけ傷つけないで、しっかりとした釣針４３の装着が行える。よって、生餌５４のもちをよくすることができる。
【００２４】
また、現場では、ハリス４５と道糸を結ぶだけで良く、作業効率が良い。
また、釣針４３は、軸の長い特殊なものを必要とせず、通常のものを使用できる。
さらに、釣針装着道具１は、筒状の本体３、細い筒状で筒状で先端が斜めにカットされた刺貫針５、針金２１、ピストン部１５、バネ２９、によって構成でき、部品点数が少なく、部品加工が容易であり、道具製造コストを抑えることができる。
【００２５】
「他の実施形態」
以上の実施形態では、把持部７は、刺貫針の先端１９から露出して前進後退する略Ｕ字状に屈曲した針金２１であったが、他の実施形態では、略Ｕ字状でなくても、略コの字状や略Ｖ字状などであっても良い。
【００２６】
また、把持部７が閉じた状態で、針金２１の屈曲した先端は、刺貫針の先端１９の斜めにカットされた楕円形状穴２５の後の縁部２７に、係止されるものであったが、他の実施形態では、閉じた状態で、屈曲した先端は、刺貫針の先端１９の楕円形状穴２５に収納されるものであってもよい。
【００２７】
また、ある程度剛性のある針金２１ではなく、刺貫針の先端１９から出没する閉じた形状の柔らかい細いワイヤであっても良い。閉じた形状は、丸、菱形などが採用できる。出没動作が、開閉動作になる。ハリス４５は、この閉じた形状の中を通すことで、把持される。
【００２８】
また、以上の実施形態では、把持部７の開閉は、本体３の側から開閉機構９を操作して行われるものであったが、他の実施形態では、把持部７自体が開閉機構９を有し、直接に操作されるものであっても良い。
すなわち、例えば、刺貫針５は筒状ではなく、鋭く硬い針金であって、その針金の一部が小さな閉じた形状を有する。閉じた形状は、丸、菱形などが採用できる。そして、閉じた形状の一部が、開閉可能とする。例えば、この一部は、物理的に分離され、この分離部分の一端が蝶番形状を有して、他端は、凹凸形状により嵌合し係止する。
【００２９】
その手順としては、刺貫針５で餌等を刺し貫き、開閉機構９の嵌合を外し、蝶番形状により分離部分を回動し、係止を解く、という操作をして、把持部７を開き、ハリス４５を引っ掛ける。その後、再び、蝶番形状により分離部分を反対方向へ回動し、係止する、という操作をして、把持部７を閉じ、ハリス４５を把持する。そして、ハリス４５を把持して閉じた状態の刺貫針５を餌等から抜き戻し、ハリス４５を外し、道糸側に結ぶ。
【００３０】
以上の実施形態では、ハリス４５は、餌の小魚であるきびなごを背中側から腹側へ上下に貫通するものであったが、他の実施形態では、口部から腹部へ斜めに貫通するものであってもかまわない。また、背部前側から背部後ろ側へ略水平に貫通するものであってもかまわない。また、小魚はきびなごに限らず他の魚、例えば生鯵などでもかまわない。
以上の実施形態では、餌等として生餌を例に示したが、他の実施形態では、ソフトルアーであってもかまわない。傷つけないで、しっかりとした釣針４３の装着が行えることで、ソフトルアーの繰り返し使用に対する耐久性をよくすることができる。
【図面の簡単な説明】
【００３１】
【図１】この発明の一実施形態を示す釣針装着道具であり、（Ａ）は概観図、（Ｂ）は（Ａ）の縦断面図、（Ｃ）は（Ｂ）の動作を示す説明図である。
【図２】図１の釣針装着道具で釣り用の餌に釣針を装着するための準備を示す図である。
【図３】図２の釣針装着道具で刺貫針を餌に刺し貫いた状態を示す図である。
【図４】図３の刺し貫いた刺貫針の把持部を開閉して釣針に結ばれたハリスを把持する手順を細かく示すもので、（Ａ）は刺し貫いた直後の刺貫針を示す図、（Ｂ）は刺貫針の把持部を開いた状態を示す図、（Ｃ）は把持部を閉じ釣針に結ばれたハリスをつかんだ状態を示す図、（Ｄ）はつかんだハリスをずらして餌から抜き戻すに都合の良い状態にした図である。
【図５】図４（Ｄ）の刺貫針を餌から抜き戻した図である。
【図６】図５の刺貫針から外したハリスの釣針を餌から露出しないように引き戻してた状態を示す図である。
【符号の説明】
【００３２】
１…釣針装着道具、３…本体、５…刺貫針、７…把持部、９…開閉機構、１１…ハンドル、１３…孔、１５…ピストン部、１７…連続部分、１９…刺貫針の先端、２１…針金、２３…略Ｕ字状の先端、２５…楕円形状穴、２７…縁部、２９…バネ、３１…筒状凹部、３３…接着剤、３５…基部、３７…係止フランジ、３９…受フランジ、４１…押圧部、４３…釣針、４５…ハリス、４７…上端、４９…孔、５１…留め金具。
【図１】
0004545805.tif 000002
【図２】
0004545805.tif 000003
【図３】
0004545805.tif 000004
【図４】
0004545805.tif 000005
【図５】
0004545805.tif 000006
【図６】
0004545805.tif 000007